(57)【要約】      （修正有）【課題】係合が解除された状態で、意匠性が損なわれることの抑制を図ったスナップボタンを提供する。【解決手段】スナップボタン１は、受け部を有する雌スナップボタン２と、雌スナップボタンに係脱可能な雄スナップボタン３と、を有し、受け部には、バネ片が保持され、雄スナップボタンは、受け部に圧入されることで受け部との係合状態の維持を可能とする柱状の圧入部を有し、圧入部は、バネ片が当接される周面と、該周面の先端部に連続された雄側凹部６００と、を有し、雄側凹部は、その中心部から周面の先端部まで連続された凹の曲面から構成されている。【選択図】図１
0003220134.tif 000002
【実用新案登録請求の範囲】
【請求項１】
受け部を有する雌スナップボタンと、該雌スナップボタンに係脱可能な雄スナップボタンと、を有するスナップボタンであって、
前記受け部には、バネ片が保持され、
前記雄スナップボタンは、前記受け部に圧入されることで前記受け部との係合状態の維持を可能とする柱状の圧入部を有し、
前記圧入部は、前記バネ片が当接される周面と、該周面の先端部に連続されて頂面を構成する雄側凹部と、を有し、
前記雄側凹部は、その中心部から前記周面の前記先端部まで連続された凹の曲面から構成されていることを特徴とするスナップボタン。
【請求項２】
前記雌スナップボタン及び前記雄スナップボタンは、一対のシートそれぞれに固定され、係合することで前記一対のシートの重合状態を保持するものであり、
前記雌スナップボタンが、キャップ部と、前記バネ片を保持するバネ保持部と、を備え、
前記キャップ部が、キャップ本体と、該キャップ本体から立設されて前記一対のシートのうち一方のシート及びバネ保持部を貫通して、前記キャップ本体との間に前記一方のシート及びバネ保持部を固定する雌側加締め部と、を有し、
前記雌スナップボタン及び前記雄スナップボタンが係合した状態で、前記雌側加締め部が前記雄側凹部に収容されていることを特徴とする請求項１に記載のスナップボタン。
【請求項３】
前記雄スナップボタンが、前記圧入部を含むゲンコ部と、ホソ部と、を備え、
前記ゲンコ部が、前記圧入部から立設されて前記一対のシートのうち他方のシート及び前記ホソ部を貫通して、前記圧入部との間に前記他方のシート及び前記ホソ部を固定する雄側加締め部を有し、
前記圧入部と前記他方のシートとの間にカラーをさらに有していることを特徴とする請求項２に記載のスナップボタン。
【考案の詳細な説明】
【技術分野】
【０００１】
本考案は、スナップボタンに関する。
【背景技術】
【０００２】
従来、衣服や鞄等において、生地や皮革の重合状態を保持を可能とする係脱手段として、雌雄一対から成るスナップボタンが知られている（特許文献１参照）。雌雄一対のスナップボタンは、係合状態では、雌スナップボタンの装飾部のみが外部に表出した状態であるため、意匠性は良好であるが、係合が解除された状態では、雄スナップボタンの雌スナップボタンに対する係合部が露出する。このため、意匠性が損なわれる場合があった。
【先行技術文献】
【特許文献】
【０００３】
【特許文献１】特開２０１３−１７５３４号公報
【考案の概要】
【考案が解決しようとする課題】
【０００４】
本考案の目的は、係合が解除された状態で、意匠性が損なわれることの抑制を図ったスナップボタンを提供することにある。
【課題を解決するための手段】
【０００５】
上記目的は、以下の本考案によって解決される。
即ち、本考案は、受け部を有する雌スナップボタンと、該雌スナップボタンに係脱可能な雄スナップボタンと、を有するスナップボタンであって、前記受け部には、バネ片が保持され、前記雄スナップボタンは、前記受け部に圧入されることで前記バネ片の付勢力により前記受け部との係合状態の維持を可能とする柱状の圧入部を有し、前記圧入部は、前記バネ片が当接される周面と、該周面の先端部に連続された雄側凹部と、を有し、前記雄側凹部は、その中心部から前記周面の前記先端部まで連続された凹の曲面から構成されていることを特徴とするスナップボタンである。
【０００６】
本考案においては、前記雌スナップボタン及び前記雄スナップボタンは、一対のシートそれぞれに固定され、係合することで前記一対のシートの重合状態を保持するものであり、前記雌スナップボタンが、キャップ部と、前記バネ片を保持するバネ保持部と、を備え、前記キャップ部が、キャップ本体と、該キャップ本体から立設されて前記一対のシートのうち一方のシート及びバネ保持部を貫通して、前記キャップ本体との間に前記一方のシート及びバネ保持部を固定する雌側加締め部と、を有し、前記雌スナップボタン及び前記雄スナップボタンが係合した状態で、前記雌側加締め部が前記雄側凹部に収容されていてもよい。
【０００７】
また、本考案においては、前記雄スナップボタンが、前記圧入部を含むゲンコ部と、ホソ部と、を備え、前記ゲンコ部が、前記圧入部から立設されて前記一対のシートのうち他方のシート及び前記ホソ部を貫通して、前記圧入部との間に前記他方のシート及び前記ホソ部を固定する雄側加締め部を有し、前記圧入部と前記他方のシートとの間にカラーをさらに有していてもよい。
【考案の効果】
【０００８】
本考案のスナップボタンは、受け部を有する雌スナップボタンと、該雌スナップボタンに係脱可能な雄スナップボタンと、を有するスナップボタンであって、受け部には、バネ片が保持され、雄スナップボタンは、受け部に圧入されることで受け部との係合状態の維持を可能とする柱状の圧入部を有し、圧入部は、バネ片が当接される周面と、該周面の先端部に連続された雄側凹部と、を有し、雄側凹部は、その中心部から周面の先端部まで連続された凹の曲面から構成されている。これによれば、雌スナップボタンと雄スナップボタンとの係合が解除された際、雄スナップボタンの雄側凹部が露出するが、雄側凹部は、その中心部から柱状部の先端部まで連続された凹の曲面から構成されていることで、雌スナップボタンと雄スナップボタンとの係合が解除された状態でも、意匠性が損なわれることの抑制が図られる。
【０００９】
また、雌スナップボタン及び雄スナップボタンは、一対のシートそれぞれに固定され、係合することで一対のシートの重合状態を保持するものであり、雌スナップボタンが、キャップ部と、バネ片を保持するバネ保持部と、を備え、キャップ部が、キャップ本体と、該キャップ本体から立設されて一対のシートのうち一方のシート及びバネ保持部を貫通して、キャップ本体との間に前記一方のシート及びバネ保持部を固定する雌側加締め部と、を有し、雌スナップボタン及び雄スナップボタンが係合した状態で、雌側加締め部が雄側凹部に収容されている。これによれば、雌スナップボタン及び雄スナップボタンが係合した状態で、雌側加締め部が雄側凹部に収容されていることで、雌スナップボタン及び雄スナップボタンが係合した状態で、係合方向の小型化を図ることができる。
【００１０】
また、雄スナップボタンが、圧入部を含むゲンコ部と、ホソ部と、を備え、ゲンコ部が、圧入部から立設されて一対のシートのうち他方のシート及びホソ部を貫通して、圧入部との間に他方のシート及びホソ部を固定する雄側加締め部を有し、圧入部と他方のシートとの間にカラーをさらに有している。これによれば、カラーが設けられていることで、カラーとホソ部との間に一対のシートのうち他方のシートを安定した状態で挟持することができる。さらに、ホソ部及びカラーの外径寸法が略等しい寸法に形成され、圧入部の径寸法より、ホソ部及びカラーの径寸法がおおきい場合には、カラーとホソ部との間に一対のシートのうち他方のシートをより一層安定した状態で挟持することができる。
【図面の簡単な説明】
【００１１】
【図１】本考案の一実施の形態にかかるスナップボタンを示す斜視図である。
【図２】前記スナップボタンを示す分解斜視図である。
【図３】前記スナップボタンを分解して示す断面図である。
【図４】前記スナップボタンを構成するキャップ部、バネ保持部、ゲンコ部、ホソ部、カラーの寸法を説明するための断面図である。
【図５】前記スナップボタンを構成する雌スナップボタン及び雄スナップボタンを示す側面図である。
【図６】前記スナップボタンを構成する雌スナップボタン及び雄スナップボタンを示す断面図である。
【図７】図１に示されたスナップボタンの係合状態を示す側面図である。
【図８】図１に示されたスナップボタンの係合状態を示す断面図である。
【図９】前記雄スナップボタンの変形例であって、ホソ部の一部断面を示す斜視図である。
【図１０】前記雄スナップボタンの他の変形例を示す断面図である。
【考案を実施するための形態】
【００１２】
以下、本考案の例示的一態様であるスナップボタンを、図１〜図８を参照して説明する。図１は、本考案の一実施の形態にかかるスナップボタン１を示す斜視図であり、図２は、スナップボタンを示す分解斜視図である。図１に示すように、スナップボタン１は、衣服や鞄等において、２枚の生地Ｓ１、Ｓ２（一対のシート）の重合状態の保持を可能とする係脱手段として用いられる。スナップボタン１は、図２、３に示すように、雌スナップボタン２と、雄スナップボタン３と、を備えて構成されている。図１に示すように、２枚の生地Ｓ１、Ｓ２のうち、表側（図中では上側）に位置する第１生地Ｓ１（一対のシートのうち一方のシート）には、雌スナップボタン２が固定される。また、２枚の生地Ｓ１、Ｓ２のうち、裏側（図中では下側）に位置する第２生地Ｓ２（一対のシートのうち他方のシート）には、雄スナップボタン３が固定される。
【００１３】
なお、本実施形態では、雌スナップボタン２と雄スナップボタン３の係合方向、及び第１生地Ｓ１及び第２生地Ｓ２の重合方向を矢印Ｚで示す場合がある。矢印Ｚ方向のうち、雌スナップボタン２は雄スナップボタン３より上方（表側）に位置し、雄スナップボタン３は雌スナップボタン２より下方（奥側）に位置している。
【００１４】
雌スナップボタン２は、図２、３に示すように、キャップ部４と、バネ保持部５と、を有して構成されている。
【００１５】
キャップ部４は、装飾面４０を有する円板状のキャップ本体４１と、キャップ本体４１の装飾面４０の裏面側に設けられた雌側加締め部４２と、を有して構成されている。キャップ本体４１及び雌側加締め部４２は金属から構成されている。雌側加締め部４２は、加締め前の状態では、キャップ本体４１から立設されている。そして、加締め前の状態の雌側加締め部４２は、第１生地Ｓ１及びバネ保持部５を貫通した状態で、その先端部にある足部４３ｂが加締められる。以下では、雌側加締め部４２の先端部にある足部４３ｂが加締められて変形した部分を「雌カール部４３」と記す。雌スナップボタン２は、キャップ本体４１と雌カール部４３との間に、第１生地Ｓ１とバネ保持部５の板部５４が固定される。
【００１６】
バネ保持部５は、図２、３に示すように、受け部５１と、受け部５１に保持されるＣ字状のバネ片５２（図３に示す）と、を有して構成されている。受け部５１及びバネ片５２は金属から構成されている。
【００１７】
受け部５１は、中心部に孔部５３を有する円環状の板部５４と、板部５４の外周縁から下方に立設される円筒部５５と、円筒部５５の下端に連続されるとともに、バネ片５２が板部５４の外周縁に沿って保持されるようにバネ片５２を収容して保持する断面コ字状のバネ片収容部５６と、を有して構成されている。板部５４の厚みは、一定と成るように形成されている。板部５４の上面には受け突起部５７が形成されている。受け突起部５７は、孔部５３を囲うように孔部５３周りに等間隔をあけて形成された複数の受け突起５８を有して構成されている。各受け突起５８は、本実施形態では、断面が半円形状となるように形成されている。
【００１８】
バネ片５２は、本実施形態ではＣ字状に形成されて、雄スナップボタン３の後述する圧入部６０を弾性的に支持する。即ち、バネ片５２の付勢力により、圧入部６０と受け部５１との係合状態の維持が可能とされる。なお、本実施形態では、バネ片５２は、Ｃ字状に形成されているが、圧入部６０と受け部５１との係合状態の維持が可能であれば、Ｃ字状でなくともよい。圧入部６０を挟んで両側から挟持するように対を成して構成されていてもよい。バネ片は、圧入部６０と受け部５１との係合状態の維持が可能であれば、如何なる形状であってもよい。
【００１９】
このような雌スナップボタン２は、図５、６に示すように、以下の手順で第１生地Ｓ１に固定する。第１生地Ｓ１には、雌側加締め部４２が挿入される挿入孔ＨＳ１（図６に示す）が予め形成されている。また、雌側加締め部４２はキャップ本体４１に一体に保持され、バネ片５２は受け部５１に一体に保持されている。
【００２０】
まず、第１生地Ｓ１の挿入孔ＨＳ１に、雌側加締め部４２の足部４３ｂを表面から近付けて挿入する。第１生地Ｓ１の裏面に、受け部５１の板部５４を近付けて、雌側加締め部４２の足部４３ｂに、受け部５１の孔部５３を挿通させる。この状態で、雌側加締め部４２の足部４３ｂを加締める。すると、雌側加締め部４２の先端部に雌カール部４３が形成され、キャップ本体４１と雌カール部４３との間に第１生地Ｓ１とバネ保持部５の板部５４が固定される。こうして、雌スナップボタン２を第１生地Ｓ１に固定する。
【００２１】
雄スナップボタン３は、図２、３に示すように、圧入部６０を含むゲンコ部６と、ホソ部７と、圧入部６０と第２生地Ｓ２との間に設けられるカラー８と、を有して構成されている。本実施形態では、ゲンコ部６とカラー８は別体に構成されている。ゲンコ部６、ホソ部７、及びカラー８は金属から構成されている。
【００２２】
ゲンコ部６は、意匠面６００（雄側凹部）を含んで構成された圧入部６０と、圧入部６０の意匠面６００とは反対側に設けられた雄側加締め部６１と、を有して構成されている。
【００２３】
圧入部６０は、上下方向が中心軸方向となるような円柱状に形成されている。圧入部６０は、雌スナップボタン２のバネ片５２が当接される周面６０１と、周面６０１の先端部に設けられて圧入部６０の頂面を構成する意匠面６００と、カラー８に接触する接触面６０２と、を有して円柱状に形成されている。
【００２４】
意匠面６００及び接触面６０２は対向する位置にあり、意匠面６００は周面６０１の上側の周端縁に連続され、接触面６０２は、周面６０１の下側の周端縁に連続されている。意匠面６００は、上面視が円形状に形成されているとともに、その中心部から周端縁まで連続された凹の曲面から構成されている。
【００２５】
接触面６０２には、圧入突起部６０３が形成されている。圧入突起部６０３は、雄側加締め部６１を囲うようにその周りに等間隔をあけて形成された複数の圧入突起６０４を有して構成されている。
【００２６】
周面６０１には、上下方向の中間位置にバネ片５２が当接される当接部６０５が設けられている。当接部６０５は、周面６０１の全周に連続形成されている。
【００２７】
雄側加締め部６１は、圧入部６０から立設されている。そして、加締め前の状態の雄側加締め部６１の先端部には、中心部分を囲むように突条の足部６２ｂが形成されている。足部６２ｂは、下方に進むにしたがって中心から離れる方向に向かう内面６２０を有している。雄側加締め部６１は、カラー８、第２生地Ｓ２及びホソ部７を貫通した状態で、その先端部にある足部６２ｂが加締められる。以下では、雄側加締め部６１の先端部にある足部６２ｂが加締められて変形した部分を「雄取付け部６２」と記す。雄スナップボタン３は、圧入部６０と雄取付け部６２との間にカラー８、第２生地Ｓ２及びホソ部７が固定される。
【００２８】
ホソ部７は、円環状に形成された中実で板状のホソ部本体７０と、ホソ部本体７０の上面に設けられたホソ突起部７１と、を有して構成されている。ホソ部本体７０の厚みは、一定と成るように形成されている。また、ホソ部本体７０の中心部には、雄側加締め部６１を挿入可能なホソ孔部７２が設けられている。ホソ部本体７０の外径寸法φ５（図４に示す）は、圧入部６０の接触面６０２の外径寸法より大きくなるように形成されているとともに、座８の外径寸法φ６（図４に示す）と略等しい寸法となるように形成されている。
【００２９】
ホソ突起部７１は、ホソ孔部７２を囲うように中心軸周りに等間隔をあけて形成された複数のホソ突起７３を有して構成されている。各ホソ突起７３は、本実施形態では、断面が三角形状となるように形成されている。
【００３０】
カラー８は、円環状に形成されたカラー本体８０と、カラー本体８０の下面に設けられたカラー突起部８１と、を有して構成されている。カラー本体８０の厚みは、一定と成るように形成されている。また、カラー突起部８１の中心部には、雄側加締め部６１を挿入可能なカラー孔部８２が設けられている。
【００３１】
カラー突起部８１は、カラー孔部８２を囲うようにカラー孔部８２周りに等間隔をあけて形成された複数のカラー突起８３を有して構成されている。各カラー突起８３は、本実施形態では、断面が半円状となるように形成されている。カラー突起部８１は、カラー８とホソ部７との間に第２生地Ｓ２が挟まれた際に、カラー突起部８１とホソ突起部７１との間に第２生地Ｓ２を挟むことが可能な位置に設けられている。
【００３２】
このような雄スナップボタン３は、図５、６に示すように、以下の手順で第２生地Ｓ２に固定する。第２生地Ｓ２には、雄側加締め部６１が挿入される挿入孔ＨＳ２が予め形成されている。また、カラー８のカラー孔部８２には、ゲンコ部６の雄側加締め部６１が挿入されている。
【００３３】
まず、第２生地Ｓ２の挿入孔ＨＳ２に、雄側加締め部６１の足部６２ｂを表面から近付けて挿入する。第２生地Ｓ２の裏面にホソ部７を近付けて、雄側加締め部６１の足部６２ｂに、ホソ部７のホソ孔部７２を挿通させる。この状態で、雄側加締め部６１の足部６２ｂを加締める。すると、雄側加締め部６１の先端部に雄取付け部６２が形成され、圧入部６０と雄取付け部６２との間にカラー８、第２生地Ｓ２及びホソ部７が固定される。こうして、雄スナップボタン３を第２生地Ｓ２に固定する。
【００３４】
スナップボタン１の雌スナップボタン２は、図４に示すように、キャップ部４における装飾面の径寸法φ１は１０ｍｍとなるように形成され、加締め前の雌側加締め部４２の上下寸法Ｔ１が２．５ｍｍとなるように形成されている。バネ保持部５における板部５４の外径寸法φ２が７．１ｍｍ、バネ片収容部５６の外径寸法φ３が８．６ｍｍ、受け部５１の上下寸法Ｔ２が２．１ｍｍ、バネ片収容部５６の上下寸法Ｔ３が１．４ｍｍとなるように形成されている。また、雄スナップボタン３は、圧入部６０において最大部分の径寸法φ４が６．２５ｍｍとなるように、ホソ部７の外径寸法φ５が８ｍｍ、カラー８の外径寸法φ６が８ｍｍとなるようにそれぞれ形成されている。なお、本実施形態において、上記各寸法等はあくまでも一例であり、本考案においては用途に応じて適宜設計すればよい。
【００３５】
続いて、雌雄一対のスナップボタン１を係合する手順について説明する。雌スナップボタン２が第１生地Ｓ１に固定され、雄スナップボタン３が第２生地Ｓ２に固定された状態で、雌スナップボタン２の受け部５１に、雄スナップボタン３の圧入部６０を近付けて、圧入する。すると、圧入部６０の先端部がバネ片５２に接触し、バネ片５２を押し広げる。この状態のまま、圧入部６０をさらに押し込む。バネ片５２が、圧入部６０の当接部６０５に当接する。バネ片５２の付勢力によって、雌雄一対のスナップボタン１の係合状態が維持される。これにより、第１生地Ｓ１及び第２生地Ｓ２（一対のシート）の重合状態が保持される。雌スナップボタン２及び雄スナップボタン３が係合した状態で、雌側加締め部４２の雌カール部４３が意匠面６００（雄側凹部）に収容されている。
【００３６】
次に、雌雄一対のスナップボタン１の係合を解除する手順について説明する。雌雄一対のスナップボタン１が係合した状態で、雌スナップボタン２と雄スナップボタン３とのうち、一方のシートを他方のシートから離れる方向に引っ張り、バネ片５２を押し広げつつ、雌スナップボタン２の受け部５１から雄スナップボタン３の圧入部６０を引き抜く。これにより、雌雄一対のスナップボタン１の係合が解除されて、雌スナップボタン２が固定された第１生地Ｓ１と雄スナップボタン３が固定された第２生地Ｓ２とが、重合状態から分離状態とされる。ここで、第１生地Ｓ１と第２生地Ｓ２とが別々の分離状態とされた際に、第２生地Ｓ２の第１生地Ｓ１側の面には、意匠面６００（雄側凹部）が露出されている。
【００３７】
上述したスナップボタン１によれば、雌スナップボタン２と雄スナップボタン３との係合が解除された際、雄スナップボタン３の意匠面６００（雄側凹部）が露出するが、意匠面６００は、その中心部から周面６０１の先端部まで連続された凹の曲面から構成されていることで、雌スナップボタンと雄スナップボタンとの係合が解除された状態でも、意匠性が損なわれることの抑制が図られる。
【００３８】
また、雌スナップボタン２及び雄スナップボタン３が係合した状態で、雌側加締め部４２の雌カール部４３が意匠面６００（雄側凹部）に収容されていることで、雌スナップボタン２及び雄スナップボタン３が係合した状態で、係合方向の小型化を図ることができる。
【００３９】
また、カラー８が設けられていることで、カラー８とホソ部７との間に第２生地Ｓ２（一対のシートのうち他方のシート）を安定した状態で挟持することができる。さらに、ホソ部７及びカラー８の外径寸法φ５、φ６が略等しい寸法に形成され、圧入部６０の径寸法φ４より、ホソ部７及びカラー８の径寸法φ５、φ６が大きい場合には、カラー８とホソ部７との間に第２生地Ｓ２をより一層安定した状態で挟持することができる。
【００４０】
なお、本考案は、前記実施形態に限定されるものではなく、本考案の目的が達成できる他の構成等を含み、以下に示すような変形等も本考案に含まれる。
【００４１】
前記実施形態では、断面が三角形状のホソ突起７３を有していたが、本考案はこれに限定されるものではない。図９に示すように、ホソ部７´は、径方向に延在する突条部７３´を有していてもよい。また、前記実施形態では、ホソ部７は、円環状に形成された中実で板状のホソ部本体７０を有していたが、本考案はこれに限定されるものではない。ホソ部本体７０´は、例えば板金に曲げ加工が施されて形成されて中空に構成されていてもよい。
【００４２】
前記実施形態では、ゲンコ部６とカラー８は別体に構成されているが、本考案はこれに限定されるものではない。ゲンコ部６とカラー８´は、図１０に示すように、一体に構成されていてもよい。また、前記実施形態では、足部６２ｂは、下方に進むにしたがって中心から離れる方向に向かう内面６２０を有しているが、本考案はこれに限定されるものではない。足部６２ｂ´は、断面半円状の内面６２０´を有していてもよい。
【００４３】
また、前記実施形態では、各カラー突起８３は、断面が半円状となるように形成されているが、本考案はこれに限定されるものではない。各カラー突起８３´は、断面が先端に向かうにしたがって先細となる台形状となるように形成されていてもよい。または、各カラー突起の断面は、三角状であってもよく、長方形状や正方形状等の四角形状であってもよい。また、バネ保持部５に設けられた受け突起５８、ゲンコ部６に設けられた圧入突起６０４、ホソ突起７３及び、カラー８に設けられたカラー突起８３についても同様である。即ち、各突起５７、７３、８３は、生地Ｓ１、Ｓ２に向けて突出するように形成されていることで、生地Ｓ１、Ｓ２に対する滑り止めとして機能すれば、各突起５７、７３、８３の断面形状は、如何なる形状であってもよい。
【００４４】
また、カラー突起部は、カラー孔部８２を囲うようにカラー孔部８２周りに突条に連続形成されていてもよい。バネ保持部５に設けられた受け突起部５７、ゲンコ部６に設けられた圧入突起部６０３、ホソ部７に設けられたホソ突起部７１及び、カラー８に設けられたカラー突起部８１についても同様である。これら突起部５７、６０３、７１、８１は、各孔部５３、７２、８２周りに所定の形状でかつ突条に連続形成されていてもよい。
【００４５】
その他、本考案を実施するための最良の構成、方法などは、以上の記載で開示されているが、本考案は、これに限定されるものではない。すなわち、本考案は、主に特定の実施形態に関して特に図示され、且つ、説明されているが、本考案の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本考案の理解を容易にするために例示的に記載したものであり、本考案を限定するものではないから、それらの形状、材質などの限定の一部、もしくは全部の限定を外した部材の名称での記載は、本考案に含まれるものである。
【符号の説明】
【００４６】
１      スナップボタン
２      雌スナップボタン
３      雄スナップボタン
４      キャップ部
４１    キャップ本体
４２    雌側加締め部
５      バネ保持部
５１    受け部
５２    バネ片
６      ゲンコ部
６０    圧入部
６００  意匠面（雄側凹部）
６０１  周面
６１    雄側加締め部
７      ホソ部
８      カラー
Ｓ１    第１生地（一対のシートのうち一方のシート）
Ｓ２    第２生地（一対のシートのうち他方のシート）
【図１】
0003220134.tif 000003
【図２】
0003220134.tif 000004
【図３】
0003220134.tif 000005
【図４】
0003220134.tif 000006
【図５】
0003220134.tif 000007
【図６】
0003220134.tif 000008
【図７】
0003220134.tif 000009
【図８】
0003220134.tif 000010
【図９】
0003220134.tif 000011
【図１０】
0003220134.tif 000012